(57)【要約】【課題】サービスサイトへの登録情報を送信するだけで、関連画像データを印刷装置に印刷出力させるための認証情報を簡便に取得できるようにする。【解決手段】印刷装置である複合機（２）は、サービスサーバ（３）から移動体通信装置４に送信された認証情報が入力さると、その認証情報をプリントサーバ１に送信する。プリントサーバ１は、送信された認証情報に応じて画像データを複合機（２）に送信し、該複合機（２）は、送信された画像データを印刷出力する。そしてサービスサーバ（３）は、移動体通信装置（４）から送信された所定のサービスへの登録情報に基づいて、プリントサーバ１に対して認証情報の送信を要求し、プリントサーバ１から認証情報を取得した場合、その認証情報を移動体通信装置（４）に送信する。【選択図】図１
2015035065.tif 000002
【特許請求の範囲】
【請求項１】
ネットワークを介して印刷データを提供するプリントサーバと、該プリントサーバにより提供された印刷データを取得して印刷出力する印刷装置と、該印刷装置による前記印刷出力を可能とする認証情報を前記プリントサーバから取得するサービスサーバと、該サービスサーバから前記認証情報を取得する移動体通信装置と、を有し、
前記印刷装置は、前記サービスサーバから移動体通信装置に送信された前記認証情報が該印刷装置に入力された際、該入力された認証情報を前記プリントサーバに送信し、該プリントサーバは、送信された前記認証情報に応じて画像データを前記印刷装置に送信し、該印刷装置は、送信された前記画像データを印刷出力するプリントシステムであって、
前記サービスサーバは、前記移動体通信装置から送信された所定のサービス登録情報に基づいて、前記プリントサーバに対して前記認証情報の送信を要求し、前記プリントサーバから前記認証情報を取得した場合、該取得した認証情報を前記移動体通信装置に送信することを特徴とするプリントシステム。
【請求項２】
前記移動体通信装置は、前記サービスサーバに接続するための接続情報を記憶したＩＣタグと通信を行って、前記接続情報を取得する近距離通信部と、
該近距離通信部により取得した接続情報を使用して、前記サービスサーバと通信を行い、該サービスサーバに前記サービス登録情報を送信することを特徴とする請求項１に記載のプリントシステム。
【請求項３】
前記移動体通信装置は、前記サービスサーバに接続するための接続情報をコード化したコード画像を撮影するための撮影部と、該撮影部が撮影した前記コード画像を解析して前記接続情報を取得する解析部とを有し、該解析部によって取得した接続情報を使用して、前記サービスサーバと通信を行い、該サービスサーバに前記サービス登録情報を送信することを特徴とする請求項１に記載のプリントシステム。
【請求項４】
前記プリントサーバは、前記印刷装置から送信された認証情報に応じて前記印刷装置に印刷データを送信する回数を所定回数に制限することを特徴とする請求項１〜３のいずれか１に記載のプリントシステム。
【請求項５】
前記サービスサーバは、前記サービス登録情報に基づいて所定の条件で抽選処理を行い、抽選処理に当選した場合、前記プリントサーバに対して前記認証情報の送信を要求することを特徴とする請求項１〜４のいずれか１に記載のプリントシステム。
【請求項６】
ネットワークを介して印刷データを提供するプリントサーバと、該プリントサーバにより提供された印刷データを取得して印刷出力する印刷装置と、該印刷装置による前記印刷出を可能とする認証情報を前記プリントサーバから取得するサービスサーバと、該サービスサーバから前記認証情報を取得する移動体通信装置と、により実行されるプリント方法であって、
前記移動体通信装置が、前記サービスサーバに対して所定のサービス登録情報を送信するステップと、
前記サービスサーバが、前記移動体通信装置から送信された前記サービス登録情報に基づいて、前記プリントサーバに対して前記認証情報の送信を要求するステップと、
前記サービスサーバが、前記プリントサーバから前記認証情報を取得した場合、該取得した認証情報を前記移動体通信装置に送信するステップと、
前記印刷装置が、前記移動体通信装置から送信された認証情報が入力された際、該受信した認証情報を前記プリントサーバに送信するステップと、
前記プリントサーバが、送信された前記認証情報に応じて画像データを前記印刷装置に送信するステップと、
前記印刷装置が、送信された前記画像データを印刷出力するステップと、を有するプリント方法。
【請求項７】
請求項１〜６のいずれか１のプリントシステムの機能をコンピュータに実現させるためのプログラム。
【発明の詳細な説明】
【技術分野】
【０００１】
本発明は、プリントシステム、プリント方法およびプログラムに関し、より詳細には、印刷装置に認証情報を入力すると、その印刷装置が遠隔のプリンタサーバに接続し、認証情報に応じた画像データを取得して印刷出力するプリントシステム、プリント方法およびプログラムに関する。
【背景技術】
【０００２】
プリンタ（画像形成装置）に対してＩＤコードなどの認証情報を入力することで、その認証情報に基づきプリンタで画像データを印刷出力させるシステムがある。
例えばネットワークに接続されたプリントサーバに画像データを登録しておき、ユーザがコンビニエンスストアなどに設置された複合機などのプリンタに認証情報を入力すると、そのプリンタがプリントサーバにネットワーク接続して、プリントサーバから画像データを取得して印刷出力するプリントシステムが普及している。
【０００３】
このような認証情報に基づき印刷出力を行うシステムに関し、例えば特許文献１には、非接触認証によるデータの出力を行う場合に、データの出力権限を有する正当な利用者を確実に認証しつつ、データの出力に伴い発生する料金を課金する印刷データ処理方法が開示されている。この印刷データ処理方法は、移動体通信装置が接近したプリンタが非接触認証コードを読み出し、一致した認証データが付加されている印刷データの印刷データ情報を移動体通信装置に送信する。そして移動体通信装置の使用者は表示装置で所望の印刷データ情報を選択して印刷指示を送信し、データの出力に対して課される料金を移動体通信装置を介して支払う。
【０００４】
また、特許文献２では、ネットプリントサービスにおいて、コンテンツ登録サーバにコンテンツ情報とプリント予約番号とが関連付けて記憶される。ユーザは、印刷対象のコンテンツ情報に対応するプリント予約番号を、店舗等に設置された複合機に入力する。複合機は、入力されたプリント予約番号をネットワークを介してコンテンツ登録サーバに送信し、対応するコンテンツ情報をダウンロードする。また、複合機は、ダウンロードしたコンテンツ情報が画像データか文書データかを判定し、画像データの場合には、画像データに適した印刷パラメータを自動的に設定して印刷処理を行う。印刷処理の料金の支払いについては、複合機に併設されたコインキットに料金を支払う構成が例示されている。
【先行技術文献】
【特許文献】
【０００５】
【特許文献１】特開２００８−２９９７９８号公報
【特許文献２】特開２００７−１４８５８０号公報
【発明の概要】
【発明が解決しようとする課題】
【０００６】
ネットワークを利用した販売促進活動に関して、商品の広告宣伝を行う目的で立ち上げられるＷｅｂサイトであるキャンペーンサイトが多様化している。近年では、販売促進活動の代表的な手法として、一つ一つの単体の商品ごとにキャンペーンサイトを立ち上げる形態が浸透している。
例えば、移動体通信装置用のキャンペーンサイトでは、店頭などに掲載されたポスターや、商品のパッケージに印刷された二次元コードを移動体通信装置で読み取るだけで、ユーザの興味等に応じてその場ですぐにキャンペーンサイトにアクセスできる、というメリットが得られる。
【０００７】
上記のようなサービスシステムでは、キャンペーンサイトにアクセスしたユーザが、ネットワークプリントサービスを利用して関連画像データを印刷出力する場合、例えば関連画像データを保持するプリントサーバにアクセスするためのＩＤコードなどの認証情報を、何等かの手法で複合機などのプリンタに入力する必要がある。この場合、従来のシステムでは、ユーザがアクセスしたキャンペーンサイトからネットワークプリントの権利である認証情報を取得できるようにしたものはない。
【０００８】
また、上記特許文献１では、スマートフォンなどの移動体通信装置から非接触で認証コードを読み出し、その読み出した認証コードに基づいて印刷出力を行うことができる。また、上記特許文献２では、複合機に入力された情報に基づき、複合機がコンテンツ登録サーバにアクセスし、コンテンツをダウンロードして印刷出力する。しかしながら、いずれのシステムにおいても、キャンペーンサイトなどのサービスへの登録情報に基づいて、印刷装置による印刷出力を可能とする認証情報を取得できるようにしたものではない。
【０００９】
本発明は、上述のごとき実情に鑑みてなされたものであり、サービスサイトへの登録情報を送信するだけで、関連画像データを印刷装置に印刷出力させるための認証情報を簡便に取得できるようにすることで、ユーザにとって利便性の高いプリントシステム、プリント方法、およびプログラムを提供することを目的とする。
【課題を解決するための手段】
【００１０】
上記課題を解決するために、本発明の第１の技術手段は、ネットワークを介して印刷データを提供するプリントサーバと、該プリントサーバにより提供された印刷データを取得して印刷出力する印刷装置と、該印刷装置による前記印刷出力を可能とする認証情報を前記プリントサーバから取得するサービスサーバと、該サービスサーバから前記認証情報を取得する移動体通信装置と、を有し、前記印刷装置は、前記サービスサーバから移動体通信装置に送信された前記認証情報が該印刷装置に入力された際、該入力された認証情報を前記プリントサーバに送信し、該プリントサーバは、送信された前記認証情報に応じて画像データを前記印刷装置に送信し、該印刷装置は、送信された前記画像データを印刷出力するプリントシステムであって、前記サービスサーバは、前記移動体通信装置から送信された所定のサービスへの登録情報に基づいて、前記プリントサーバに対して前記認証情報の送信を要求し、前記プリントサーバから前記認証情報を取得した場合、該取得した認証情報を前記移動体通信装置に送信することを特徴としたものである。
【００１１】
第２の技術手段は、第１の技術手段において、前記移動体通信装置は、前記サービスサーバに接続するための接続情報を記憶したＩＣタグと通信を行って、前記接続情報を取得する近距離通信部と、該近距離通信部により取得した接続情報を使用して、前記サービスサーバと通信を行い、該サービスサーバに前記サービス登録情報を送信することを特徴としたものである。
【００１２】
第３の技術手段は、第１の技術手段において、前記移動体通信装置は、前記サービスサーバに接続するための接続情報をコード化したコード画像を撮影するための撮影部と、該撮影部が撮影した前記コード画像を解析して前記接続情報を取得する解析部とを有し、該解析部によって取得した接続情報を使用して、前記サービスサーバと通信を行い、該サービスサーバに前記サービス登録情報を送信することを特徴としたものである。
【００１３】
第４の技術手段は、第１〜第３のいずれか１の技術手段において、前記プリントサーバは、前記印刷装置から送信された認証情報に応じて前記印刷装置に印刷データを送信する回数を所定回数に制限することを特徴としたものである。
【００１４】
第５の技術手段は、第１〜第４のいずれか１の技術手段において、前記サービスサーバは、前記サービス登録情報に基づいて所定の条件で抽選処理を行い、抽選処理に当選した場合、前記プリントサーバに対して前記認証情報の送信を要求することを特徴としたものである。
【００１５】
第６の技術手段は、ネットワークを介して印刷データを提供するプリントサーバと、該プリントサーバにより提供された印刷データを取得して印刷出力する印刷装置と、該印刷装置による前記印刷出を可能とする認証情報を前記プリントサーバから取得するサービスサーバと、該サービスサーバから前記認証情報を取得する移動体通信装置と、により実行されるプリント方法であって、前記移動体通信装置が、前記サービスサーバに対して所定のサービス登録情報を送信するステップと、前記サービスサーバが、前記移動体通信装置から送信された前記サービス登録情報に基づいて、前記プリントサーバに対して前記認証情報の送信を要求するステップと、前記サービスサーバが、前記プリントサーバから前記認証情報を取得した場合、該取得した認証情報を前記移動体通信装置に送信するステップと、前記印刷装置が、前記移動体通信装置から送信された認証情報が入力された際、該受信した認証情報を前記プリントサーバに送信するステップと、前記プリントサーバが、送信された前記認証情報に応じて画像データを前記印刷装置に送信するステップと、前記印刷装置が、送信された前記画像データを印刷出力するステップと、を有するプリント方法である。
【００１６】
第７の技術手段は、第１〜６のいずれか１の技術手段のプリントシステムの機能をコンピュータに実現させるためのプログラムである。
【発明の効果】
【００１７】
本発明によれば、サービスサイトへの登録情報を送信するだけで、関連画像データを印刷装置に印刷出力させるための認証情報を簡便に取得できるようにすることで、ユーザにとって利便性の高いプリントシステム、プリント方法およびプログラムを提供することができる。
【図面の簡単な説明】
【００１８】
【図１】本発明に係るプリントシステムの構成例を説明する図である。
【図２】本発明に係るプリントシステムを構成する各装置の構成の要部を概略的に示す図である。
【図３】本発明の第１の実施形態を説明するための処理フローを示す図である。
【図４】本発明の第２の実施形態を説明するための処理フローを示す図である。
【図５】移動体通信装置でＩＣタグの情報を読み取るときの様子を説明する図である。
【図６】移動体通信装置で表示させるキャンペーンサイトリストの一例を示す図である。
【図７】移動体通信装置でコード画像の情報を読み取るときの様子を説明する図である。
【発明を実施するための形態】
【００１９】
図１は、本発明に係るプリントシステムの構成例を説明する図である。
本実施形態のプリントシステムは、プリントサーバ１、複合機２、サービスサーバ３、および移動体通信装置４がネットワーク５によって相互に通信可能に構成される。複合機２は、プリントサーバ１から取得したデータを印刷する印刷装置の一例である。
これらの構成要素のそれぞれはネットワーク５上に複数設けることができる。ネットワーク５は、電話公衆回線網やインターネット等による広域ネットワーク、およびＬＡＮ（Local Area Network）などの限定されたネットワークを含み、またネットワーク５との接続は無線通信および有線通信のいずれかもしくは両方が適用される。
【００２０】
図１の構成によりネットワークによってプリントサーバ１から複合機２が印刷データを取得し、印刷出力を行うネットワークプリントシステムが構成される。複合機２は、例えば公衆が利用可能なコンビニエンスストアなどに設置することができる。またこのような場合に、ネットワークプリントシステムの利用に対する課金処理を行うことができる。
【００２１】
上記のネットワークプリントシステムでは、商品の広告宣伝等を行うためのＷｅｂサイトであるキャンペーンサイトの運営者等によって提供された画像データが予めプリントサーバ１に登録される。この画像データは、プリントサーバ１から提供される印刷データに相当するもので、例えばキャンペーンサイトの登録者に対する特別特典として提供するチケットなどのプレミア画像の画像データとすることができる。
【００２２】
サービスサーバ３では、プリントサーバ１に登録された画像データの印刷出力を許可するための抽選処理を行う抽選サイトが提供される。抽選サイトでは、複数のキャンペーンサイトへの登録を管理し、ユーザにより特定のキャンペーンサイトに対するサービス登録が行われると、そのサービス登録情報に基づいて、そのキャンペーンサイトに関連付けられている画像データの印刷許可を決定する抽選処理を行う。
抽選処理によってそのユーザが当選した場合、サービスサーバ３は、プリントサーバ１から印刷権利を付与するための認証情報を取得し、その認証情報を移動体通信装置４に返す。移動体通信装置４で認証情報を受け取ったユーザは、適宜任意の複合機２の設置場所に出向き、認証情報を複合機２に入力する。複合機２は、その認証情報を基にプリントサーバ１にアクセスして、認証情報に関連付けられている画像データを取得し、印刷出力する。このような構成で、プリントサーバ１とサービスサーバ３を利用したネットワークプリントシステムが構築される。
【００２３】
図２は、本発明に係るプリントシステムを構成する各装置の構成の要部を概略的に示す図である。プリントサーバ１は、印刷データを記憶して複合機２に送信するサーバ装置として機能する。制御部１１は、ＣＰＵ（Central Processing Unit）やＭＰＵ（Micro-Processing Unit）などのプロセッサにより、記憶部１２に記憶された制御プログラムを読み出して実行することで、プリントサーバ１の各種機能を実行することができる。
【００２４】
記憶部１２は、プリントサーバ１の各機能を実行するためのプログラムやデータ等を記憶するともに、複合機２に送信する印刷データを記憶する各種メモリやＨＤＤ（Hard Disk Drive）等の記憶手段である。操作部１３は、ユーザによる操作入力を可能とするキーやボタン、その他の操作デバイスである。通信部１４は、ネットワーク５を介して外部機器と通信を行い、画像データの送受信を行う。
【００２５】
複合機２は、プリンタ機能、コピー機能の他、ファクシミリ通信機能やデータファイリング機能、スキャナ機能などの複数の機能を備えたＭＦＰ（Multi Function Peripheral）  として構成されたもので、本発明の印刷装置の一例に相当する。
複合機２の制御部２１は、ＣＰＵやＭＰＵなどのプロセッサにより記憶部２５に記憶したプログラムを読み出して実行することで複合機２の各種機能を制御する。
【００２６】
印刷部２２は、プリントサーバ１から取得した印刷データや、スキャナ部２８等によって取得した画像データを記録用紙に印刷する機能を有する。例えば印刷部２２は、記録用紙の搬送装置、感光体ドラム、帯電装置、レーザーユニット、現像装置、転写分離装置、クリーニング装置、及び定着装置等を備え、電子写真プロセスによって画像形成を行うように構成される。あるいはレーザープリンタ等の他の方式で印刷を行うものであってもよい。
【００２７】
近距離通信部２３は、近接場型の無線通信であるＮＦＣ（Near Field Communication）により相手機器と通信を行ってデータの送受信を行う。例えば、ＮＦＣ対応のリーダ・ライタからキャリアを送信して電磁誘導により相手機器のＩＣチップに電力を供給し、キャリアの変調によってリーダ・ライタと相手機器との間で通信を行う。ＮＦＣでは近距離通信部２３に相手機器やＩＣタグなどをかざすことで、Ｐ２Ｐ（Peer to Peer）によるデータ交換が可能となる。本プリントシステムでは、ＩＣチップを搭載した移動体通信装置４と複合機２との間でＮＦＣによる近距離通信を可能とする。
また、近距離通信部２３には、相手機器と通信する手段として無線ＬＡＮ、Ｂｌｕｅｔｏｏｔｈ（登録商標）、赤外線通信、ＲＦＩＤ（Radio Frequency Identification）などの無線通信手段を適用してもよい。また、ＵＳＢ（Universal Serial Bus）等による有線通信手段を用いてもよい。
【００２８】
通信部２４は、ネットワーク５を介して外部機器と通信を行う制御を行う。
記憶部２５は、複合機２の各機能を実行するためのプログラムやデータ等を記憶するとものに、プリントサーバ１等の外部機器から送信された画像データやスキャナ部２８等により取得した画像データ等を記憶する各種メモリやＨＤＤ（Hard Disk Drive）等の記憶手段である。
表示部２６は、液晶パネルなどの表示デバイスにより構成され、各種情報や操作用の画面を表示する。操作部２７は、ユーザによる操作入力を可能とするキーやボタン、その他の操作デバイスである。また、操作部２７は、表示部２６と一体的に設けられたタッチパネルとして構成することができる。
【００２９】
スキャナ部２８は、複合機２の原稿台にセットされた原稿を光学的に読み取って画像データとして出力する。スキャナ部２８は、例えば原稿に光を照射する光源と、原稿からの反射光をラインイメージに結像させるレンズやミラーなどの光学系と、原稿からの反射光を受け取って原稿画像を読み取るイメージセンサと、イメージセンサから出力されたアナログ画像信号をデジタル変換する変換部などを備えることができる。
【００３０】
サービスサーバ３は、ネットワーク上で利用されるキャンペーンサイトに対する登録を管理し、プリントサーバ１に登録されている画像データの印刷を許可するための抽選処理を行う抽選サイトを提供する。そしてサービスサーバ３は、抽選処理に当選したユーザに対して、プリントサーバ１からの印刷を許可する認証情報を取得し、サービス登録したユーザの移動体通信装置４にその認証情報を送信する。キャンペーンサイトは、サービスサーバ３で提供される抽選サイトとは別のＷｅｂサイトであり、ネットワーク上のサーバから提供されている。
【００３１】
サービスサーバ３は、プリントサーバ１と同様の構成を有する。制御部３１は、ＣＰＵやＭＰＵなどのプロセッサにより、記憶部３２に記憶された制御プログラムを読み出して実行することで、サービスサーバ３の各種機能を実行する。
記憶部３２は、サービスサーバ３の各機能を実行するためのプログラムやデータ等を記憶する各種メモリやＨＤＤ（Hard Disk Drive）等の記憶手段である。操作部３３は、ユーザによる操作入力を可能とするキーやボタン、その他の操作デバイスである。通信部３４は、ネットワーク５を介して外部機器と通信を行う制御を行う。
【００３２】
移動体通信装置４は、ユーザが操作する情報通信処理装置であり、例えばスマートフォン、携帯電話、タブレット端末などの携帯可能な情報通信処理装置として実現される。
移動体通信装置４の制御部４１は、ＣＰＵなどのプロセッサにより記憶部４２に記憶したプログラムを読み出して実行することで移動体通信装置４の各種機能を制御する。例えば制御部４１により実行されるアプリケーションにより、サービスサーバ３に対するサービス登録やキャンペーンサイトの閲覧、サービスサーバ３からの認証情報の取得などの処理が実行される。
【００３３】
記憶部４２は、移動体通信装置４の各機能を実行するためのプログラムやデータ等を記憶する各種メモリ等の記憶手段である。
撮像部４３は、カメラにより撮像を行って撮像画像データを生成するものである。撮像部４３によって例えばＱＲコード（登録商標）などのコード画像を撮像し、制御部４１で解析することでキャンペーンサイトなどのネットワーク上のサイトにアクセス可能とする。
【００３４】
通信部４４は、ネットワーク５を介して外部機器と通信を行う制御を行う。
表示部４５は、液晶パネルなどの表示デバイスにより構成され、各種情報や操作用の画面を表示する。操作部４６は、ユーザによる操作入力を可能とするキーやボタン、その他の操作デバイスである。また、操作部４６は、表示部４５と一体的に設けられたタッチパネルとして構成することができる。
【００３５】
近距離通信部４７は、近接場型の無線通信であるＮＦＣにより相手機器と通信を行ってデータの送受信を行う。近距離通信部４７を用いることで複合機２との間で近距離通信によるデータ送受信を行うことができる。これにより例えば画像データを取得するための認証情報を移動体通信装置４から複合機２に転送することができる。また、近距離通信部４７は、例えばＩＣタグと通信を行ってＩＣタグに記憶される情報を取得することができる。また、移動体通信装置４では、特定のＩＣタグと通信することでキャンペーンサイトのＩＤを取得し、サービスサーバ２に送信することでキャンペーンサイトのＵＲＬを取得することができる。
近距離通信部４７には、無線ＬＡＮ、Ｂｌｕｅｔｏｏｔｈ（登録商標）、赤外線通信、ＲＦＩＤ（Radio Frequency Identification）などの無線通信手段を適用してもよく、ＵＳＢ（Universal Serial Bus）等による有線通信手段を用いることもできる。
【００３６】
（実施形態１）
上記のシステム構成により提供されるネットワークプリントシステムにおけるプリント処理の実施形態を説明する。図３は、本発明の第１の実施形態を説明するための処理フローを示す図である。
本例では、移動体通信装置４、サービスサーバ３、プリントサーバ１、および複合機２によるネットワークプリントシステムにおける処理を示す。また、移動体通信装置４は、専用アプリケーションによりサービスサーバ３と通信を行うスマートフォンを例とする。
【００３７】
まず、ユーザは移動体通信装置４で専用アプリケーションを起動し、キャンペーンサイトのＩＤが記憶されているＩＣタグから、そのＩＤを読み取る（Ｓ１）。図５にその様子を示す。ここではユーザが移動体通信装置４をＩＣタグ６の近傍にかざすことにより、移動体通信装置４の近距離通信部４７がＮＦＣ等によりＩＣタグ６からキャンペーンサイトのＩＤを読み取る。ＩＣタグから読み取られるＩＤは、特定のキャンペーンサイトに予め関連付けられているＩＤである。
【００３８】
図３に戻って説明する。移動体通信装置４は、ＩＣタグ６から読み出したＩＤをサービスサーバ３に送信する（Ｓ２）。ここでは移動体通信装置４で動作している専用アプリケーションにより、ＩＤタグから読み出されたＩＤをサービスサーバ３に自動送信する。より具体的には、移動体通信装置４がＩＣタグ６からＩＤを読み取ると、移動体通信装置４の専用アプリケーションにより、サービスサーバ３で提供される抽選サイトに自動的に接続する。そしてその抽選サイトに対してＩＣタグ６から読み取ったＩＤを送信する。
【００３９】
サービスサーバ３の抽選サイトでは、各キャンペーンサイトのＵＲＬを管理している。ここで移動体通信装置４から送信されたＩＤに応じて、そのＩＤに関連付けられているキャンペーンサイトのＵＲＬを移動体通信装置４に送信する（Ｓ３）。移動体通信装置４では、サービスサーバ３から送信されたＵＲＬにより、キャンペーンサイトのＷｅｂページを閲覧することができる。この場合、移動体通信装置４でＩＣタグ６から読み取ったＩＤをキャンペーンサイトのＵＲＬに変換できれば、Ｓ２〜Ｓ３の処理は不要となる。
そして、ユーザがキャンペーンサイトにユーザ登録する場合、ユーザは移動体通信装置４を操作して抽選サイトの登録ページにアクセスし、キャンペーンサイトに自身のメールアドレスを登録する（Ｓ４）。
【００４０】
抽選サイトにおける登録ページには、抽選サイトで登録可能な複数のキャンペーンサイトへのサービス登録が可能であり、ユーザは、例えばＩＣタグから読み出したＩＤを使用して閲覧したキャンペーンサイトに対して、抽選サイトからメールアドレスを登録することができる。
【００４１】
サービスサーバ３では、キャンペーンサイトにメールアドレスが登録されると、プリントサーバ１に予め登録されている画像データを印刷する権利を付与するための抽選処理を行う。そして抽選に当選した場合、サービスサーバ３は、プリントサーバ１に登録されている画像データの印刷出力を可能とする認証情報を送信するよう、プリントサーバ１に対して要求する（Ｓ５）。プリントサーバ１に登録されている画像データとしては、例えば、キャンペーンサイトの登録者に対する特別特典として提供するチケットなどのプレミア画像などとすることができる。
【００４２】
プリントサーバ１は、サービスサーバ３からの要求に対して、画像データの印刷を許可する認証情報をサービスサーバ３に送信する（Ｓ６）。認証情報としては、画像データを識別するためのＩＤと、その画像データの印刷を許可するために使用するパスワードとを用いることができる。
サービスサーバ３は、プリントサーバ１から送信された認証情報を移動体通信装置４の専用アプリケーションに登録する（Ｓ７）。移動体通信装置４の専用アプリケーションでは、例えば図６のような内容で、登録したキャンペーンサイトのリストと抽選結果とを関連付けた情報を保存し、そのリスト情報を表示させることができる。このとき抽選に当選したキャンペーンサイトの認証情報をそのキャンペーンサイトのタイトルと関連付けて保存し、リスト情報からその認証情報を表示させることができる。こうして、移動体通信装置４では、ＩＣタグから読み込んだＩＤを用いてキャンペーンサイトを閲覧し、そのキャンペーンサイトにサービス登録を行うことができる。そして抽選サイトにおける抽選に当選した場合、キャンペーンサイトに関連する画像データを印刷出力するための認証情報を取得することができる。
【００４３】
ユーザは、認証情報を取得した移動体通信装置４を携行して、複合機４の設置場所に出向く。そしてユーザは、移動体通信装置４を複合機２の近距離通信部２３に近接させることにより、移動体通信装置４が取得した認証情報をＮＦＣ等の近距離通信によって複合機２に送信することができる（Ｓ８）。
移動体通信装置４から送信された認証情報を受信した複合機２は、受信した認証情報をプリントサーバ１に送信する（Ｓ９）。認証情報を受信したプリントサーバ１は、その認証情報を認証し、認証に成功すればその認証情報に対応する画像データを複合機２に送信する（Ｓ１０）。複合機２では、プリントサーバ１から送信された画像データを記録紙等に印刷出力する（Ｓ１１）。
【００４４】
プリントサーバ１は、上記の画像データの送信処理時に、画像データを送信した回数をカウントし、同じ画像データの送信回数を所定回数に制限する。プリントサーバ１に登録された画像データは、抽選処理の結果、印刷出力を許可するものであり、印刷出力の回数を所定回数に制限し、無制限に印刷出力を行うことができないようにする。
【００４５】
（実施形態２）
図４は、本発明の第２の実施形態を説明するための処理フローを示す図である。本例では、移動体通信装置４、サービスサーバ３、プリントサーバ１、および複合機２によるネットワークプリントシステムにおける処理を示す。
【００４６】
まず、ユーザは移動体通信装置４の撮像部４３を使用して、サービスサーバ３に接続するための接続情報を記録したコード画像を撮影し、コード画像に記録された接続情報を読み取って移動体通信装置４の表示部４５に表示させる。コード画像には、例えばＱＲコード（登録商標）を適用することができる。また、サービスサーバ３に接続する接続情報は、サービスサーバのＵＲＬとすることができる（Ｓ２１）。図７はその様子を示す図で、ここではユーザが移動体通信装置４の撮像部４３によってＱＲコードによるコード画像７を撮影することで、移動体通信装置４がそのコード画像７を解析し、コード画像７にコード化されて記録されているＵＲＬを読み取って表示部４５に表示させることができる。
【００４７】
図４に戻って説明する。移動体通信装置４によってコード画像７からＵＲＬが読み取られると、ユーザは移動体通信装置４を操作し、ブラウザを起動させてＵＲＬを入力することでサービスサーバ３の抽選サイトにアクセスし、キャンペーンサイトの登録ページから所望のキャンペーンサイトにメールアドレスを登録する（Ｓ２２）。
【００４８】
サービスサーバ３では、キャンペーンサイトにメールアドレスが登録されると、プリントサーバ１に予め登録されている画像データを印刷する権利を付与するための抽選処理を行う。そして抽選に当選した場合、サービスサーバ３は、プリントサーバ１に登録されているプレミア画像などの画像データの印刷出力を可能とする認証情報を送信するよう、プリントサーバ１に対して要求する（Ｓ２３）。
【００４９】
プリントサーバ１は、サービスサーバ３からの要求に対して、画像データの印刷を許可する認証情報（例えばＩＤとパスワード）をサービスサーバ３に送信する（Ｓ２４）。サービスサーバ３は、プリントサーバ１から送信された認証情報をメールによって移動体通信装置４に送信する（Ｓ２５）。こうして、移動体通信装置４では、コード画像から読み出したＵＲＬを用いてキャンペーンサイトに登録することができる。そして抽選サイトにおける抽選に当選した場合、キャンペーンサイトに関連する画像データを印刷出力するための認証情報を取得することができる。
【００５０】
そしてユーザは、複合機２の設置場所に出向き、サービスサーバ３から移動体通信装置４に送信されたメールに記載された認証情報を、複合機２の操作部２７を使用して入力する（Ｓ２６）。ユーザにより認証情報が入力された複合機２は、その認証情報をプリントサーバ１に送信する（Ｓ２７）。認証情報を受信したプリントサーバ１は、その認証情報を認証し、認証に成功すればその認証情報に対応する画像データを複合機２に送信する（Ｓ２８）。複合機２では、プリントサーバ１から送信された画像データを記録紙等に印刷出力する（Ｓ２９）。
ここでプリントサーバ１は、上記の画像データの送信処理時に、画像データを送信した回数をカウントし、同じ画像データの送信回数を所定回数に制限する。プリントサーバ１に登録された画像データは、抽選処理の結果、印刷出力を許可するものであり、印刷出力の回数を所定回数に制限し、無制限に印刷出力を行うことができないようにする。
【００５１】
上記本発明に係るネットワークプリントシステムの各要素、すなわち、画像形成装置（複合機２）、プリントサーバ１、サービスサーバ３、および移動体通信装置４は、プログラムによってそれらの機能を実現することができる。すなわち画像形成装置（複合機２）、プリントサーバ１、サービスサーバ３、移動体通信装置４は、それぞれの装置の機能を実現する制御プログラムの命令を実行するＣＰＵなどの制御部と、そのプログラムを格納したＲＯＭおよびプログラムを展開するＲＡＭを備えた記憶部とを備えている。そして、本発明の目的は、上述した機能を実現するプログラムのプログラムコード（実行形式プログラム、中間コードプログラム、ソースプログラム）をコンピュータで読み取り可能に記録した記録媒体をネットワークプリントシステムの各要素に供給し、そのコンピュータが記録媒体に記録されているプログラムコードを制御部が読み出して実行することによって達成可能である。また、上記ネットワークプリントシステムの各要素を通信ネットワークと接続可能に構成し、上記プログラムコードを通信ネットワークを介して供給してもよい。
【００５２】
なお上記の実施形態に記載されている技術的特徴はお互いに組み合わせ可能であり、組わせることにより新しい技術的特徴を形成することができる。
【符号の説明】
【００５３】
１…プリントサーバ、２…複合機、３…サービスサーバ、４…移動体通信装置、５…ネットワーク、６…ＩＣタグ、７…コード画像、１１…制御部、１２…記憶部、１３…操作部、１４…通信部、２１…制御部、２２…印刷部、２３…近距離通信部、２４…通信部、２５…記憶部、２６…表示部、２７…操作部、２８…スキャナ部、３１…制御部、３２…記憶部、３３…操作部、３４…通信部、４１…制御部、４２…記憶部、４３…撮像部、４４…通信部、４５…表示部、４６…操作部、４７…近距離通信部。
【図１】
2015035065.tif 000003
【図２】
2015035065.tif 000004
【図３】
2015035065.tif 000005
【図４】
2015035065.tif 000006
【図５】
2015035065.tif 000007
【図６】
2015035065.tif 000008
【図７】
2015035065.tif 000009